(57)【要約】      （修正有）【課題】重要書面に貼着して複写防止できるようにした改ざん偽造防止フィルムを提供する。【解決手段】薄合成樹脂フィルム１０の表面に複写により感熱又は感光する印刷インキ２０を塗布し、裏面に強粘着剤３０を塗布し、その上に第１部分４１、第２部分４２及び第３部分４３に分割できる剥離紙４０を貼着して、書面に貼着し、複写すれば、複写熱又は複写光により複写された旨の文字又は図形が書面に浮き出るようにしたものである。【選択図】図１
0003139052.tif 000002
【実用新案登録請求の範囲】
【請求項１】
表面を複写することにより感熱又は感光する印刷インキ２０で塗布した厚み２５〜７５ミクロンの薄合成樹脂フィルム１０の裏面に強粘着する接着剤３０を塗布し、その上に剥離紙４０を貼着した透明色フィルムであって、剥離紙４０が巾の小さい第１部分４１及び第２部分４２と残り第３部分４３に分かれてなり、改ざん乃至偽造を防止したい書面５０の表面に前記剥離紙４０を合致させたのち、前記第２部分４２をはがして前記書面５０の表面に貼着したのち、第１部分４１をはがして貼着し、第３部分４３を第１部分４１と反対方向にはがしながら貼り合わせて、複写すれば、前記透明色フィルムの貼着部分に複写された旨の文字又は図形が現出できるようにしたことを特徴とした改ざん偽造防止フィルム。
【請求項２】
表面を複写することにより感熱又は感光する印刷インキ２０Ｂで塗布した厚み２５〜７５ミクロンの薄合成樹脂フィルム１０Ｂの裏面に強粘着する接着剤３０Ｂを塗布し、その上に剥離紙４０Ｂを貼着した透明色フィルムであって、剥離紙４０Ｂが巾の小さい第１部分４１Ｂと残り第２部分４２Ｂに分かれてなり、改ざん乃至偽造を防止したい書面５０Ｂの表面に前記剥離紙４０Ｂを合致させたのち、前記第１部分４１Ｂをはがして前記書面５０Ｂの表面に貼着したのち、第２部分４２Ｂを第１部分４１Ｂと反対方向にはがしながら貼り合わせて、複写すれば、前記透明色フィルムの貼着部分に複写された旨の文字又は図形が現出できるようにしたことを特徴とした改ざん偽造防止フィルム。
【請求項３】
表面を複写により感熱又は感光する印刷インキ２０Ｃで塗布した薄合成樹脂フィルム１０Ｃの裏面に強粘着する接着剤３０Ｃを塗布し、その上に、剥離紙４０Ｃを貼着した透明色フィルムからなり、改ざん乃至偽造を防止したい書面の表面部分に、前記透明色フィルムの裏面の剥離紙４０Ｃを合致させたのちはがして貼着し、複写すれば、前記透明色フィルムの貼着部分に複写された旨の文字又は図形が現出できるようにしたことを特徴とした改ざん偽造防止フィルム。
【考案の詳細な説明】
【技術分野】
【０００１】
本考案は、重要書類の表面全面又は部分に貼着して複写による改ざん偽造を防止できるようにした改ざん偽造防止フィルムに関する。
【背景技術】
【０００２】
従来の複写による改ざん偽造防止用フィルムは、合成樹脂フィルムの表面に、アルミ、鉛等の反射金属粉を蒸着して、その蒸着膜上に印刷していたので、読みにくく、また、印刷しにくい欠点がある上に、複写すれば黒色化して印刷文字や印刷図形が読みにくくなるが、印字や図形が残る場合がある上に、通常の紙面に印刷された重要書面の改ざん偽造防止に役立たない欠点があった。
そこで、本考案者は、通常の紙面に印刷された重要書面を複写されないように、その書面に透明色フィルムを剥がされないように強粘着して注意させ、複写すれば、そのフィルム部分が感熱又は感光して複写された旨の文字又は図形が浮き出るように考案した。
【特許文献１】特開２００７−１０６９７９号公報
【特許文献２】特開２００７−２１０１６９号公報
【考案の開示】
【考案が解決しようとする課題】
【０００３】
本考案は、重要書面の表面に透明色フィルムを貼着することにより、この貼着部分を複写すれば、複写された旨の文字又は図形が現出するようにした改ざん偽造防止フィルムを提供するものである。
また、本考案は、簡単、迅速に、重要書面の表面に貼着できるようにした改ざん偽造防止フィルムを提供するものである。
さらに、本考案は、安価に量産できる改ざん偽造防止フィルムを提供するものである。
【課題を解決するための手段】
【０００４】
本考案改ざん偽造防止フィルムは、上記課題を達成するため、図示するように、請求項１の考案は、表面を複写することにより感熱又は感光する印刷インキ２０で塗布した厚み２５〜７５ミクロンの薄合成樹脂フィルム１０の裏面に強粘着する接着剤３０を塗布し、その上に剥離紙４０を貼着した透明色フィルムであって、剥離紙４０が巾の小さい第１部分４１及び第２部分４２と残り第３部分４３に分かれてなり、改ざん乃至偽造を防止したい書面５０の表面に前記剥離紙４０を合致させたのち、前記第２部分４２をはがして前記書面５０の表面に貼着したのち、第１部分４１をはがして貼着し、第３部分４３を第１部分４１と反対方向にはがしながら貼り合わせて、複写すれば、前記透明色フィルムの貼着部分に複写された旨の文字又は図形が現出できるようにしたものである。
また、本考案の改ざん偽造防止フィルムは、上記課題を達成するため、図示するように、請求項２の考案は、表面を複写することにより感熱又は感光する印刷インキ２０Ｂで塗布した厚み２５〜７５ミクロンの薄合成樹脂フィルム１０Ｂの裏面に強粘着する接着剤３０Ｂを塗布し、その上に剥離紙４０Ｂを貼着した透明色フィルムであって、剥離紙４０Ｂが巾の小さい第１部分４１Ｂと残り第２部分４２Ｂに分かれてなり、改ざん乃至偽造を防止したい書面５０Ｂの表面に前記剥離紙４０Ｂを合致させたのち、前記第１部分４１Ｂをはがして前記書面５０Ｂの表面に貼着したのち、第２部分４２Ｂを第１部分４１Ｂと反対方向にはがしながら貼り合わせて、複写すれば、前記透明色フィルムの貼着部分に複写された旨の文字又は図形が現出できるようにしたものである。
さらに、本考案の改ざん偽造防止フィルムは、上記課題を達成するため、図示するように、請求項３の考案は、表面を複写により感熱又は感光する印刷インキ２０Ｃで塗布した薄合成樹脂フィルム１０Ｃの裏面に強粘着する接着剤３０Ｃを塗布し、その上に、剥離紙４０Ｃを貼着した透明色フィルムからなり、改ざん乃至偽造を防止したい書面の表面部分に、前記透明色フィルムの裏面の剥離紙４０Ｃを合致させたのちはがして貼着し、複写すれば、前記透明色フィルムの貼着部分に複写された旨の文字又は図形が現出できるようにしたものである。
本考案において、請求項１及び２の考案の薄合成樹脂フィルムは、折り曲げ可能な厚み２５〜７５ミクロンの範囲のポリエステル系その他の耐熱性透明色合成樹脂フィルムが使用される。請求項３の考案の薄合成樹脂フィルムは、前記厚みの範囲は必要でない。
強粘着する接着剤は、前記合成樹脂フィルムを剥がすことが困難なアクリル系その他の接着剤が使用される。
透明色フィルムは、複写されないときは、透明色だけで改ざん偽造されたくない書面は鮮明に解読できるが、複写されたときには、複写熱又は複写光によりコピー又は複写された旨の警告文字又は図形が複写による感熱又は感光するインキのため浮き出るフィルムである。
また、透明色フィルムは、書面大からラベル大のものなど種々作成でき、ラベル状のものは、そのまま剥離紙を剥がして貼着して重要数値や氏名その他の重要部分のみを被覆できる。
【考案の効果】
【０００５】
本考案フィルムは、重要書面の全部又は部分に貼着しておけば、複写注意を喚起し、複写すれば、複写した旨の文字又は図形が表示されるので、改ざんや偽造を予防することができる。
本考案フィルムは、重要書面の全部に貼着する場合、剥離紙が３分割又は２分割されているので、貼着しやすくフィルムにしわを生ずることはなく、厚みが曲げやすい範囲に限定されているので、書面をファイルする場合に支障を生じない。
また、本考案フィルムは、書面の重要な小部分にのみ貼着することができ、この場合は、書面の貼着処理が迅速簡単にでき便利である。
さらに、本考案フィルムは、合成樹脂フィルムの表面に複写により感熱又は感光するインキを塗布し、裏面に粘着剤と剥離紙を取りつけるだけでよいので安価に製造できる利点がある。
【考案を実施するための最良の形態】
【０００６】
本考案フィルムの最良の実施の形態が実施例１、実施例２及び実施例３に示されている。
【実施例１】
【０００７】
実施例１の本考案フィルムは、合成樹脂フィルム１０の表面に複写により感熱又は感光する印刷インキを全面塗布したインキ層２０、裏面に強粘着層３０を全面塗布し、その上に第１部分４１、第２部分４２及び第３部分４３に分割できる剥離紙４０を貼着したものである。
合成樹脂フィルム１０は、厚み２５〜７５ミクロンのポリエステルフィルムで折り曲げやすく折り曲げ強度も大きい。
インキ層２０は、複写により感熱又は感光により印字又は図形を浮き出せるようにした印刷用インキが塗布されている。
強粘着層３０は、剥がすことが困難なアクリル樹脂系その他の公知の強粘着剤が塗布される。
剥離紙層４０は、合成樹脂フィルムを含み、第１部分４１、第２部分４２及び第３部分４３に切目又は切込み４１０、４２０が設けられて指でめくれば分離できるようにしてある。第１部分４１及び第２部分４２はできるだけ小巾にすることが望ましい。
本考案フィルムを書面の表面に貼着するときは、  図２−１乃至図２−５に示すように、先ず、（１）本考案フィルムを裏返しして書面５０の表面と剥離紙４０面とを合わせたのち、剥離紙４０の第２部分４２をはがし、（２）第２部分４２を書面５０に貼り合わせる。（３）次に第１部分４１を貼り合わせ、（４）第３部分４３を第１部分４１と反対方向にゆっくりはがして順次貼り合わすことにより書面５０の表面にしわを発生することなく本考案フィルムが貼着することになる。
従って、書面５０表面に貼着した本考案フィルムは、書面５０を複写しようとすれば、複写機内の熱又は光に反応して塗布された印刷インキ層２０は複写した旨の文字又は図形が浮かび出ることになる。
【実施例２】
【０００８】
実施例２の本考案フィルムは、合成樹脂フィルム１０Ｂの表面に複写により感熱又は感光する印刷インキを全面塗布したインキ層２０Ｂ、裏面に強粘着層３０Ｂを全面塗布し、その上に第１部分４１Ｂ、第２部分４２Ｂに分割できる剥離紙４０Ｂを貼着したものである。
合成樹脂フィルム１０Ｂは、厚み２５〜７５ミクロンのポリエステルフィルムで折り曲げやすく折り曲げ強度も大きい。
インキ層２０Ｂは、複写により感熱又は感光により印字又は図形を浮き出せるようにした印刷用インキが塗布されている。
強粘着層３０Ｂは、剥がすことが困難なアクリル樹脂系その他の公知の強粘着剤が塗布される。
剥離紙層４０Ｂは、合成樹脂フィルムを含み、第１部分４１Ｂ、第２部分４２Ｂに切目又は切込み４１０Ｂが設けられて指でめくれば分離できるようにしてある。第１部分４１Ｂはできるだけ小巾にすることが望ましい。
本考案フィルムを書面の表面に貼着するときは、  図４−１乃至図４−５に示すように、先ず、（１）本考案フィルムを裏返しして書面５０Ｂの表面と剥離紙４０Ｂ面とを合わせたのち、剥離紙４０Ｂの第１部分４１Ｂをはがし、（２）第１部分４２Ｂを書面５０Ｂに貼り合わせる。（３）次に第２部分４２Ｂを第１部分４１Ｂと反対方向にゆっくりはがして順次貼り合わすことにより書面５０Ｂの表面にしわを発生することなく本考案フィルムが貼着することになる。
従って、書面５０Ｂ表面に貼着した本考案フィルムは、書面５０Ｂを複写しようとすれば、複写機内の熱又は光に反応して塗布された印刷インキ層２０Ｂは複写した旨の文字又は図形が浮かび出ることになる。
【実施例３】
【０００９】
実施例３の本考案フィルムは、合成樹脂フィルム１０Ｃの表面にインキ層２０Ｃ、裏面に強粘着層３０Ｃを塗布し、その上に剥離紙４０Ｃを貼着したものである。
合成樹脂フィルム１０Ｃ、インキ層２０Ｃ、強粘着層３０Ｃ、剥離紙４０Ｃは、実施例１と同じであるので、詳細説明は省略する。
なお、剥離紙４０Ｃは、切目又は切込みにより分割された部分をもっていない。
従って、実施例３に示される本考案フィルムは、書面のうち、重要な少数文字や小図形に貼られ、書面の重要な文字や図形の改ざんや偽造防止に役立たせることになる。
【産業上の利用可能性】
【００１０】
本考案は、構造簡単、取扱容易で量産しやすい。
【図面の簡単な説明】
【００１１】
【図１】本考案実施例の説明図である。
【図２−１】図１の使用説明図である。
【図２−２】図１の別の使用説明図である。
【図２−３】図１の別の使用説明図である。
【図２−４】図１の別の使用説明図である。
【図２−５】図１の別の使用説明図である。
【図３】本考案の別の実施例の説明図である。
【図４−１】図３の使用説明図である。
【図４−２】図３の別の使用説明図である。
【図４−３】図３の別の使用説明図である。
【図４−４】図３の別の使用説明図である。
【図４−５】図３の別の使用説明図である。
【図５】本考案のさらに別の実施例の説明図である。
【符号の説明】
【００１２】
１０、１０Ｂ、１０Ｃ    合成樹脂フィルム
２０、２０Ｂ、２０Ｃ    感熱感光インキ層
３０、３０Ｂ、３０Ｃ    強粘着層
４０、４０Ｂ、４０Ｃ    剥離紙
４１                    剥離紙４０の第１部分
４２                    剥離紙４０の第２部分
４３                    剥離紙４０の第３部分
４１Ｂ                  剥離紙４０Ｂの第１部分
４２Ｂ                  剥離紙４０Ｂの第２部分
【図１】
0003139052.tif 000003
【図２−１】
0003139052.tif 000004
【図２−２】
0003139052.tif 000005
【図２−３】
0003139052.tif 000006
【図２−４】
0003139052.tif 000007
【図２−５】
0003139052.tif 000008
【図３】
0003139052.tif 000009
【図４−１】
0003139052.tif 000010
【図４−２】
0003139052.tif 000011
【図４−３】
0003139052.tif 000012
【図４−４】
0003139052.tif 000013
【図４−５】
0003139052.tif 000014
【図５】
0003139052.tif 000015